【手続補正書】
【提出日】平成26年7月14日(2014.7.14)
【手続補正１】
【補正対象書類名】特許請求の範囲
【補正対象項目名】全文
【補正方法】変更
【補正の内容】
【特許請求の範囲】
【請求項１】
通信デバイスにおいてブロードキャストラジオ送信を受信することと、なお、前記ブロードキャストラジオ送信は、プライマリコンテンツと、前記プライマリコンテンツとの出力時間関係を有する補足コンテンツとを備えており、前記プライマリコンテンツは、第１のオーディオデータを備えており、前記補足コンテンツはノンオーディオデータを備えている、
前記補足コンテンツを、前記プライマリコンテンツとの前記出力時間関係を有する変換された補足コンテンツへ変換することと、なお、前記変換された補足コンテンツは、前記ノンオーディオデータから導出された第２のオーディオデータを備えている、
を備えているラジオ番組を向上させる方法。
【請求項２】
前記第１のオーディオデータにしたがって前記プライマリコンテンツの第１のオーディオの表現を第１のオーディオチャネル上で出力することと、
前記第２のオーディオデータにしたがって前記補足コンテンツの第２のオーディオの表現を第２のオーディオチャネル上で出力することと、
をさらに備えており、なお、前記第２のオーディオチャネルは、前記第１のオーディオチャネルとは異なる、請求項１に記載の方法。
【請求項３】
前記第１のオーディオチャネル上で出力することは、左オーディオチャネルあるいは右オーディオチャネル上で出力することをさらに備えており、また、前記第２のオーディオチャネル上で出力することは、前記左オーディオチャネルあるいは前記右オーディオチャネルの反対チャネル上で出力することをさらに備えている、請求項２に記載の方法。
【請求項４】
前記第１のオーディオデータにしたがって、前記プライマリコンテンツの第１のオーディオの表現を第１のユーザインタフェース上で出力することと、
前記第２のオーディオデータにしたがって、前記補足コンテンツの第２のオーディオの表現を第２のユーザインタフェース上で出力することと、
をさらに備えており、前記第２のユーザインタフェースは、前記第１のユーザインタフェースとは異なる、請求項１に記載の方法。
【請求項５】
前記第１のオーディオデータにしたがって前記プライマリコンテンツの表現を備えている第１のオーディオ信号を生成することと、
前記第２のオーディオデータにしたがって前記補足コンテンツの表現を備えている第２のオーディオ信号を生成することと、
をさらに備えている請求項１に記載の方法。
【請求項６】
前記第１のオーディオ信号を第１のオーディオチャネル上で出力することと、
前記第２のオーディオ信号を第２のオーディオチャネル上で出力することと、
をさらに備えており、前記第２のオーディオチャネルは、前記第１のオーディオチャネルとは異なる、請求項５に記載の方法。
【請求項７】
前記第１のオーディオ信号を生成することは、プライマリオーディオフォーマットにしたがって前記第１のオーディオデータを処理することをさらに備えており、また、前記第２のオーディオ信号を生成することは、補足オーディオフォーマットにしたがって前記第２のオーディオデータを処理することをさらに備えている、請求項５に記載の方法。
【請求項８】
前記プライマリオーディオフォーマットは、前記補足オーディオフォーマットとは異なる、請求項７に記載の方法。
【請求項９】
前記プライマリオーディオフォーマットと前記補足オーディオフォーマットは、同じオーディオフォーマットを備えている、請求項７に記載の方法。
【請求項１０】
前記第１のオーディオ信号と前記第２のオーディオ信号を保存すること、をさらに備えている請求項５に記載の方法。
【請求項１１】
前記ブロードキャストラジオ送信を受信することは、第１の周波数上で前記プライマリコンテンツを受信することと、第２の周波数上で前記補足コンテンツを受信することと、をさらに備えている、請求項１に記載の方法。
【請求項１２】
前記ブロードキャストラジオ送信を受信することは、第１の搬送周波数を有している第１の周波数変調されたラジオ波上で搬送されるラジオ番組信号を受信することと、前記第１の搬送周波数とは異なる第２の搬送周波数を有している第２の周波数変調されたラジオ波上で搬送されるラジオデータシステム情報を受信することと、をさらに備えている、請求項１に記載の方法。
【請求項１３】
前記ブロードキャストラジオ送信を受信することは、第１の搬送周波数を有している第１の増幅変調されたラジオ波上で搬送されるラジオ番組信号を受信することと、前記第１の搬送周波数とは異なる第２の搬送周波数を有している第２の増幅変調されたラジオ波上で搬送されるラジオデータシステム情報を受信することと、をさらに備えており、また、前記第２の搬送周波数は、オーディブル周波数領域の外にある、請求項１に記載の方法。
【請求項１４】
前記第２の増幅変調されたラジオ波上で搬送されたラジオデータシステム情報を受信することは、サブオーディブル周波数領域において前記第２の搬送周波数を受信することをさらに備えている、請求項１３に記載の方法。
【請求項１５】
前記プライマリコンテンツと、前記補足コンテンツあるいは前記変換された補足コンテンツのうち少なくとも１つと、を保存すること、をさらに備えている請求項１に記載の方法。
【請求項１６】
前記ブロードキャストラジオ送信を受信することは、前記プライマリコンテンツに関連する出力時間関係を有する前記補足コンテンツを受信することをさらに備えている、請求項１に記載の方法。
【請求項１７】
前記ブロードキャストラジオ送信を受信することは、前記プライマリコンテンツに関連する記述関係を有する前記補足コンテンツを受信することをさらに備えている、請求項１に記載の方法。
【請求項１８】
前記ブロードキャストラジオ送信を受信することは、前記プライマリコンテンツに関連する広告関係を有する前記補足コンテンツを受信することをさらに備えている、請求項１に記載の方法。
【請求項１９】
前記ブロードキャストラジオ送信を受信することは、ラジオ番組データを備えている前記プライマリコンテンツを受信することと、ラジオテキストデータを備えている前記補足コンテンツを受信することと、をさらに備えており、また、前記補足コンテンツを変換された補足コンテンツへと変換することは、前記ラジオテキストデータを音声データへと変換することをさらに備えている、請求項１に記載の方法。
【請求項２０】
前記ラジオ番組データを第１のオーディオチャネル上で出力することと、
前記音声データを第２のオーディオチャネルチャネル上で出力することと、
をさらに備えており、なお、前記第２のオーディオチャネルは、前記第１のオーディオチャネルとは異なる、請求項１９に記載の方法。
【請求項２１】
通信デバイスにおいてブロードキャストラジオ送信をコンピュータに受信させることが動作可能な少なくとも１つのインストラクションと、なお、前記ブロードキャストラジオ送信は、プライマリコンテンツと、前記プライマリコンテンツとの出力時間関係を有する補足コンテンツとを備えており、また、前記プライマリコンテンツは、第１のオーディオデータを備えており、前記補足コンテンツはノンオーディオデータを備えている、
前記補足コンテンツを、前記プライマリコンテンツとの前記出力時間関係を有する変換された補足コンテンツへと、前記コンピュータに変換させることが動作可能な少なくとも１つのインストラクションと、なお、前記変換された補足コンテンツは、前記ノンオーディオデータから導出された第２のオーディオデータを備えている、
を備えている非一時的コンピュータ可読媒体、
を備えているラジオ番組を向上させるための非一時的コンピュータ可読媒体に記憶されたコンピュータプログラムプロダクト。
【請求項２２】
通信デバイスにおいてブロードキャストラジオ送信を受信するための第１モジュールと、なお、前記ブロードキャストラジオ送信は、プライマリコンテンツと前記プライマリコンテンツとの出力時間関係を有する補足コンテンツとを備えており、前記プライマリコンテンツは、第１のオーディオデータを備えており、前記補足コンテンツはノンオーディオデータを備えている、
前記補足コンテンツを、前記プライマリコンテンツとの前記出力時間関係を有する変換された補足コンテンツへと変換するための第２のモジュールと、なお、前記変換された補足コンテンツは、前記ノンオーディオデータから導出された第２のオーディオデータを備えている、
を備えているラジオ番組を向上させるための少なくとも１つのプロセッサ。
【請求項２３】
ブロードキャストラジオ送信を受信するための手段と、なお、前記ブロードキャストラジオ送信は、プライマリコンテンツと前記プライマリコンテンツとの出力時間関係を有する補足コンテンツとを備えており、前記プライマリコンテンツは、第１のオーディオデータを備え、前記補足コンテンツはノンオーディオデータを備えている、
前記補足コンテンツを、前記プライマリコンテンツとの前記出力時間関係を有する変換された補足コンテンツへと変換するための手段と、なお、前記変換された補足コンテンツは、前記ノンオーディオデータから導出された第２のオーディオデータを備えている、
を備えているラジオ番組を向上させるための通信デバイス。
【請求項２４】
ブロードキャストラジオ送信を得ることが動作可能な受信機と、なお、前記ブロードキャストラジオ送信は、プライマリコンテンツと前記プライマリコンテンツとの出力時間関係を有する補足コンテンツとを備えており、前記プライマリコンテンツは、第１のオーディオデータを備えており、前記補足コンテンツはノンオーディオデータを備えている、
前記補足コンテンツを、前記プライマリコンテンツとの前記出力時間関係を有する変換された補足コンテンツへと変更することが動作可能なデータコンバータと、なお、前記変換された補足コンテンツは、前記ノンオーディオデータから導出された第２のオーディオデータを備えている、
を備えているラジオ番組を向上させるための通信デバイス。
【請求項２５】
前記第１のオーディオデータにしたがって前記プライマリコンテンツの第１のオーディオの表現を第１のオーディオチャネル上で出力することが動作可能で、また、前記第２のオーディオデータにしたがって前記補足コンテンツの第２のオーディオの表現を第２のオーディオチャネル上で出力することがさらに動作可能である、少なくとも１つの出力デバイス、をさらに備えており、なお、前記第２のオーディオチャネルは、前記第１のオーディオチャネルとは異なる、請求項２４に記載のデバイス。
【請求項２６】
前記第１のオーディオチャネルは、左オーディオチャネルあるいは右オーディオチャネルをさらに備えており、前記第２のオーディオチャネルは、前記左オーディオチャネルあるいは前記右オーディオチャネルの反対のチャネルをさらに備えている、請求項２５に記載のデバイス。
【請求項２７】
前記第１のオーディオデータにしたがって前記プライマリコンテンツの第１のオーディオの表現を第１のユーザインタフェース上で出力することが動作可能で、また、前記第２のオーディオデータにしたがって前記補足コンテンツの第２のオーディオの表現を第２のユーザインタフェース上で出力することがさらに動作可能である、少なくとも１つの出力デバイス、をさらに備えており、前記第２のユーザインタフェースは、前記第１のユーザインタフェースとは異なる、請求項２４に記載のデバイス。
【請求項２８】
前記第１のオーディオデータにしたがって前記プライマリコンテンツの表現を備えている第１のオーディオ信号を生成することが動作可能で、また、前記第２のオーディオデータにしたがって前記補足コンテンツの表現を備えている第２のオーディオ信号を生成することがさらに動作可能である少なくとも１つの出力デバイス、をさらに備えている請求項２４に記載のデバイス。
【請求項２９】
前記少なくとも１つの出力デバイスは、前記第１のオーディオ信号を出力するための第１のオーディオチャネルと、前記第２のオーディオ信号を出力するための第２のオーディオチャネルと、を備えており、前記第２のオーディオチャネルは、前記第１のオーディオチャネルとは異なる、請求項２８に記載のデバイス。
【請求項３０】
プライマリオーディオフォーマットにしたがって前記第１のオーディオデータを処理することが動作可能で、また、補足オーディオフォーマットにしたがって前記第２のオーディオデータを処理することがさらに動作可能であるプロセッサ、をさらに備えている請求項２８に記載のデバイス。
【請求項３１】
前記プライマリオーディオフォーマットは、前記補足オーディオフォーマットとは異なる、請求項３０に記載のデバイス。
【請求項３２】
前記プライマリオーディオフォーマットと前記補足オーディオフォーマットは、同じオーディオフォーマットを備えている、請求項３０に記載のデバイス。
【請求項３３】
前記第１のオーディオ信号と前記第２のオーディオ信号を保存することが動作可能なメモリ、をさらに備えている請求項２８に記載のデバイス。
【請求項３４】
前記ブロードキャストラジオ送信は、第１の周波数上で前記プライマリコンテンツと、第２の周波数上で前記補足コンテンツと、をさらに備えている、請求項２４に記載のデバイス。
【請求項３５】
前記ブロードキャストラジオ送信は、第１の搬送周波数を有している第１の周波数変調されたラジオ波上で搬送されるラジオ番組信号と、前記第１の搬送周波数とは異なる第２の搬送周波数を有している第２の周波数変調されたラジオ波上で搬送されるラジオデータシステム情報と、をさらに備えている、請求項２４に記載のデバイス。
【請求項３６】
前記ブロードキャストラジオ送信は、第１の搬送周波数を有している第１の増幅変調されたラジオ波上で搬送されるラジオ番組信号と、前記第１の搬送周波数とは異なる第２の搬送周波数を有している第２の増幅変調されたラジオ波上で搬送されるラジオデータシステム情報と、をさらに備えており、なお、前記第２の搬送周波数は、オーディブル周波数領域の外にある、請求項２４に記載のデバイス。
【請求項３７】
前記第２の搬送周波数は、サブオーディブル周波数領域を備えている、請求項３６に記載のデバイス。
【請求項３８】
前記プライマリコンテンツと、前記補足コンテンツあるいは前記変換された補足コンテンツのうち少なくとも１つと、を保存することが動作可能なメモリ、をさらに備えている請求項２４に記載のデバイス。
【請求項３９】
前記ブロードキャストラジオ送信は、前記プライマリコンテンツに関連する出力時間関係を有している前記補足コンテンツをさらに備えている、請求項２４に記載のデバイス。
【請求項４０】
前記ブロードキャストラジオ送信は、前記プライマリコンテンツに関連する記述関係を有している前記補足コンテンツをさらに備えている、請求項２４に記載のデバイス。
【請求項４１】
前記ブロードキャストラジオ送信は、前記プライマリコンテンツに関連する広告関係を有している前記補足コンテンツをさらに備えている、請求項２４に記載のデバイス。
【請求項４２】
前記ブロードキャストラジオ送信は、ラジオ番組データを備えている前記プライマリコンテンツと、ラジオテキストデータを備えている前記補足コンテンツと、をさらに備えており、前記データコンバータは、前記ラジオテキストデータを音声データへと変換することがさらに動作可能である、請求項２４に記載のデバイス。
【請求項４３】
前記ラジオ番組データを第１のオーディオチャネル上で出力することと、前記音声データを第２のオーディオチャネル上で出力することと、が動作可能な少なくとも１つの出力デバイスをさらに備えており、なお、前記第２のオーディオチャネルは、前記第１のオーディオチャネルとは異なる、請求項４２に記載のデバイス。
【請求項４４】
前記変換された補足コンテンツが、前記ノンオーディオデータ中に存在するテキスト、グラフィック、イメージおよびビデオのうちの少なくとも１つから導出された第２のオーディオデータを備えている、請求項１に記載の方法。
【請求項４５】
前記変換された補足コンテンツが、前記ノンオーディオデータ中に存在するテキスト、グラフィック、イメージおよびビデオのうちの少なくとも１つから導出された第２のオーディオデータを備えている、請求項２４に記載のデバイス。